(57)【要約】【課題】液晶表示装置の樹脂枠であって、ランプセットのバックライト装置への挿入、引き出しが簡易であり、かつ光漏れの少ない液晶表示装置を提供し、樹脂枠の強度を増大することができる。【解決手段】液晶表示パネル１１、光学シート１４〜１６、導光板１７、反射シート１８、及びこれらを囲む樹脂枠１９、導光板１７の側端面に密接するバックライト装置のランプセット２０、２０’それらを収納して背面と側面を覆う底板２１及び液晶表示パネル１１前面の周囲と底板の側面をカバーする枠体２２、からなる液晶表示装置において、ランプセット収納部の開口部に樹脂枠１９のひさし１９ａと樹脂枠の本体との角部にかけて設け光漏れ防止用の薄壁１９ｃを形成する。この薄壁１９ｃは、ランプセット収納部の両端において、樹脂枠のひさしと樹脂枠の本体の角部に略三角形に設けるとよい。【選択図】図７
2006038926.tif 000002
【特許請求の範囲】
【請求項１】
サイドエッジ型バックライト装置のランプセット収納部を形成する樹脂枠を有する液晶表示装置において、前記樹脂枠のランプセット収納部の開口部の角部に、前記樹脂枠のひさしから樹脂枠本体にかけて光漏れ防止用の薄壁を設けたことを特徴とする液晶表示装置。
【請求項２】
液晶表示パネル、光学シート、導光板、反射シート、及びこれらを囲む樹脂枠、該導光板の側端面に密接するバックライト装置のランプセット、それらを収納して背面と側面を覆う底板及び該液晶表示パネル前面の周囲と該底板の側面をカバーする枠体、からなる液晶表示装置において、前記ランプセット収納部の開口部に前記樹脂枠のひさしから樹脂枠本体にかけて角部に設けた光漏れ防止用の薄壁を有することを特徴とする液晶表示装置。
【請求項３】
前記樹脂枠の薄壁は、前記ランプセット収納部の両端に設けられたことを特徴とする請求項１又は２に記載の液晶表示装置。
【請求項４】
前記薄壁は、前記樹脂枠のひさしと本体の角部に略三角形状に設けたことを特徴とする請求項１又は２に記載の液晶表示装置。
【請求項５】
前記底板の背面に切り起こした第１突起と、切り起こした孔から突出させた前記樹脂枠の第２突起によって前記ランプセットのケーブルを挟持することを特徴とする請求項１又は２に記載の液晶表示装置。
【発明の詳細な説明】
【技術分野】
【０００１】
本発明は液晶表示装置におけるバックライト装置に関し、特に線状のランプをバックライト光源とするエッジライト型バックライト装置のランプセットを収納するランプセット収納部からの光漏れを防止した液晶表示装置に関するものである。
【背景技術】
【０００２】
コンピュータ、携帯情報端末、携帯電話、テレビジョン装置などの表示装置として、省電力で薄型、軽量である液晶表示装置が多く賞用されるようになってきている。この種の液晶表示装置は、液晶表示パネルの背面に配置したバックライト装置からの光を液晶表示パネルに照射することにより液晶表示パネルに形成された映像を表示するものであり、このバックライト装置において、薄型が要求されかつそれほど高輝度が必要とされない中型のノートパソコンやモニタから最近は大型高輝度の液晶テレビジョン等まで、側面に配置された線状光源を面状光源に変更するサイドライト方式のバックライト装置が多く用いられるようになってきている。
【０００３】
サイドライト方式のバックライト装置は、側面に配置された線状光源を面状光源に変更するために導光板が使用され、この導光板の背面には反射板が、前面には拡散板などの光学シートが配置されている。光源には従来から線状の冷陰極管がよく用いられており、この光源を導光板の縁に設けるので、エッジライト型バックライト装置ともいわれる。
【０００４】
従来のこの種のバックライト装置のランプセットは、例えば透明なアクリル樹脂製等の導光板の入光面であるサイドエッジ（側端面）に沿って、光源となる線状ランプの出射面が平行になるよう配置し、また、線状ランプの導光板に対向する側を開放した略コ字状あるいは半円筒状のランプ反射板を線状ランプの全長に沿って備えることによって反射効率を上げ、線状ランプの出射光を導光板に導入し、面状の出射光によって液晶表示パネルを照明するようになっている。この線状ランプは１本乃至複数本が配置され、線状ランプの両端はランプホルダーによって支持され、ランプホルダーは反射板に固定されている。
【０００５】
導光板の背面には白色の反射板が、前面には２枚のプリズムシート及び拡散板が配置され、ランプセットを導光板の側面に設けて、バックライト装置を構成する。このときランプセットは、導光板の対向する２つの側端面に設けられ、導光板の側端面へのランプセットの装着は、その収納部であるバックライト装置の樹脂枠と液晶表示装置の底板との隙間に、この隙間の一端からスライドさせて挿入される。また、取り外しは、逆に隙間の一端からスライドさせて引き出すことによって行われる。このように、ランプセットの装着や取り外しは液晶表示装置の製造時のみならず線状ランプなどが故障、破損して交換するときに、導光板などを取り外すことなく簡易に行うことができるようになっている。
【０００６】
ここで、ランプセットの装着及び取り外しを簡易に行うことができる従来の液晶表示装置用バックライト装置について、図９を用いて説明する。図９は液晶表示装置用バックライト装置のランプセットの収納部の挿入、抜出が行われる開口部付近の断面図である。
【０００７】
このランプセット８４は、ランプ反射板８５と、ランプ反射板８５内に装着されたランプ（図では見えない）及びランプの両端に取り付けられたランプホルダー８６とからなり、ランプ両端に接続されたケーブル（図示省略）が一端のランプホルダー８６から引き出されており、ランプセット８４を保持する樹脂枠８１とバックライト装置８０の底板８２で形成された収納部８３に装着されている。また、バックライト装置８０にはランプセット８４の収納部８３への挿入、抜出が可能となるように、ランプセット８４の少なくとも両端部と樹脂枠８１、底板８２及び導光板８７との間に所定のクリアランスを設けている。これによって、ランプセット８４は樹脂枠と底板の隙間である収納部８３に一端から挿入されスライドさせて収納できるようになっている（特許文献１参照）。
【０００８】
ランプセット８４を液晶表示装置のバックライト装置８０に組み込んだ場合、ランプセット８４はその両端部のランプホルダー８６が導光板に密接して対峙するが、収納部の開口部分でランプホルダー８６のケーブルを引き出す頭部８６ａと樹脂枠８１との隙間から光漏れが生じ、極めて目触りとなる問題があった。詳しくは、この光漏れは樹脂枠のひさし８１ａの付け根の部分８１ｂ付近で、引き出されたケーブルと樹脂枠の隙間から導光板が露出することによって生じるものである。
【０００９】
しかしながら、この樹脂枠とランプホルダー間の光漏れを解決するためには、ランプセットの収納部からの出し入れを容易にするために開口部にはクリアランスが必要であるし、隙間はできるだけなくするのが好ましいが、隙間ができるのは避けられない。したがって、従来の液晶表示装置においては、バックライト装置のランプセット収納部の開口部からの光漏れを減少させることは困難であった。また、ランプセットは液晶表示装置への出し入れの際に樹脂枠のひさし部分と接するが、ひさし部分の強度が十分でなく、樹脂枠が破損することがあった。さらにまた、開口部でランプホルダーから液晶表示装置の外部に引き出したケーブルの引き回しの際に一定の固定状態が得られずケーブルがばらばらになり、線の間から光漏れを生じたりしていた。
【特許文献１】特開平１１−１１１０３０号公報
【発明の開示】
【発明が解決しようとする課題】
【００１０】
上述のように、従来のランプセットの取付け、取り外し作業用の開口部を備えた液晶表示装置において、ランプセットの装着、取出しを円滑に行うことができ、一方、開口部の隙間からの光漏れを解決したバックライト装置が求められている。
【００１１】
本願の発明者は、前記の問題点を解決すべく種々検討を行った結果、ランプセットの収納部の両端において、ランプセットと樹脂枠との接触状況に着目し、ランプセットを保持する樹脂枠の形状を工夫することによって、前記の問題点を解決することができることを見出し、本発明を完成するに至ったものである。
【００１２】
すなわち、本発明は、液晶表示装置において、バックライト装置のランプセット収納部からの光漏れを減少させた液晶表示装置を提供することを目的とするものである。
【００１３】
また、本発明は、バックライト装置において、樹脂枠の強度を増大することができる手段を提供することを目的とする。
【００１４】
さらにまた、本発明は、ランプホルダーから引き出したケーブルを一定の状態で底板の側面から背面に引き回し、背面のケーブル固定爪で保持させることにより、一定のケーブルの固着状態が得られるとともに、光漏れの少ないランプセットを提供することを目的とする。
【課題を解決するための手段】
【００１５】
前記課題を解決するために、本願の請求項１の液晶表示装置に係る発明は、サイドエッジ型バックライト装置のランプセット収納部を形成する樹脂枠を有する液晶表示装置において、前記樹脂枠のランプセット収納部の開口部の角部に、前記樹脂枠のひさしから樹脂枠本体にかけて光漏れ防止用の薄壁を設けたことを特徴とする。
【００１６】
また、本願の請求項２の液晶表示装置に係る発明は、液晶表示パネル、光学シート、導光板、反射シート、及びこれらを囲む樹脂枠、該導光板の側端面に密接するバックライト装置のランプセット、それらを収納して背面と側面を覆う底板及び該液晶表示パネル前面の周囲と該底板の側面をカバーする枠体、からなる液晶表示装置において、前記ランプセット収納部の開口部に前記樹脂枠のひさしから樹脂枠本体にかけて角部に設けた光漏れ防止用の薄壁を有することを特徴とする。
【００１７】
本願の請求項３にかかる発明は、請求項１又は２に記載の液晶表示装置において、前記樹脂枠の薄壁は、前記ランプセット収納部の両端に設けられたことを特徴とする。
【００１８】
本願の請求項４に係る発明は、請求項１又は２に記載の液晶表示装置において、前記薄壁は、前記樹脂枠のひさしと本体の角部に略三角形状に設けたことを特徴とする。この場合、前記薄壁の長辺部がRを有する滑らかな形状としてもよい。
【００１９】
本願の請求項５に係る発明は、請求項１又は２に記載の液晶表示装置において、前記底板の背面に切り起こした第１突起と、切り起こした孔から突出させた前記樹脂枠の第２突起によって前記ランプセットのケーブルを挟持することを特徴とする。
【発明の効果】
【００２０】
請求項１に係る発明によれば、液晶表示装置へのランプセットの挿入、引き出しが容易であり、組み込み及び交換等を容易に行うことができるとともに光漏れの少ないバックライト装置を提供することができる。また、光漏れ防止用の薄壁によって強度が増大された丈夫な樹脂枠を提供することができる。
【００２１】
また、請求項２に係る発明によれば、請求項１の発明と同様に、液晶表示装置へのランプセットの挿入、引き出しが容易であり、組み込み及び交換等を容易に行うことができるとともに光漏れの少ないバックライト装置を提供することができる。また、光漏れ防止用の薄壁強度が増大された丈夫な樹脂枠を提供することができる。
【００２２】
また、本願の請求項３に係る発明によれば、バックライト装置の両端部からの光漏れを良好に防止できる液晶表示装置が得られる。
【００２３】
本願の請求項４に係る発明によれば、単に光漏れを防止することができるだけでなく、強度が強く、しかもケーブルの引き回しの邪魔にならない薄壁を有する液晶表示パネルが得られる。
【００２４】
本願の請求項５に係る発明によれば、ケーブルの保持状態を一定に保持することが容易で、しかも光漏れの少ない液晶表示装置が得られる。
【００２５】
以上述べたとおり、本発明によれば、バックライト装置におけるランプセットの導光板の側端面への挿入、引き出しを簡易に行うことができるとともに、開口部からの光漏れが少なく、丈夫な樹脂枠を得ることができ、ランプセットに接続されたケーブルの処理も容易であるので、本発明を液晶表示装置のバックライトに適用した場合には優れた効果を奏することができる。
【発明を実施するための最良の形態】
【００２６】
以下、本発明に係る液晶表示装置について、実施例を添付の図面を参照して詳細に説明する。ただし、以下に示す実施例は本発明の技術思想を具体化するための液晶表示装置を例示するものであって、本発明をこの実施例に特定することを意図するものではなく、本発明は特許請求範囲に示した技術思想を逸脱することなく種々の変更を行ったものにも等しく適用し得るものである。
【実施例】
【００２７】
図１は、本発明に係る液晶表示装置の一実施例の構造を示す分解斜視図である。図２は、図１の液晶表示装置の組み立て斜視図である。図３は、図２の液晶表示装置におけるバックライト装置のランプセット収納部分の構造を示す斜視図である。図４は、本発明のバックライト装置に使用されるランプセットの斜視図である。図５は、バックライト装置に収納されたランプセットの断面図である。図６は、本発明の樹脂枠の全体（図６（ａ））とそのＡ部拡大図（図６（ｂ））であって開口部の薄壁を示す斜視図である。図７は、液晶表示装置のランプセットの挿入時の状態を説明する平面図（図７（ａ））及びＸ−Ｘ断面図（図７（ｂ））である。図８は、液晶表示装置の底板方向から見た斜視図である。
【００２８】
液晶表示装置１０は、図１の分解斜視図に示したように、液晶表示パネルを駆動する回路を実装したＴＣＰ（Tape  Carrier  Package）１２とＰＣＢ（Printed  Circuit  Board）１３が接続されている液晶表示パネル１１、液晶表示パネル１１の背面に配置した第１及び第２プリズムシート１４，１５、導光板の前面に配置した拡散シート１６、矩形平板状のアクリル樹脂製の導光板１７、導光板の背面に配置した反射シート１８が組み合わされ、これらの構成部材が樹脂枠１９によって上側に液晶表示パネル１１が支持され、下側にはその他の構成部材が嵌め込まれて収納され、これが底板２１に収容された上、前面に枠体２２をはめ込んで組み立てられる。そして、導光板１７の対向する２つの側端面にはランプ反射板に線状ランプを取付けた第１及び第２のランプセット２０、２０’が導光板に平行になるように導光板１７と樹脂枠１９と底板２１との隙間に取付けられる。なお、２３は底板に取り付けられ、液晶表示パネル１１の長手方向側に取り付けられたＰＣＢ１３を保護するための下カバーである。
【００２９】
図２は、図１の液晶表示装置１０の組み立て斜視図であり、枠体２２に嵌めこまれている液晶表示パネル１１を前面に配置した液晶表示装置１０であり、その導光板１７の両側に第１ランプセット２０と第２ランプセット２０’が組み込まれている。図３は、図２の液晶表示装置１０のバックライト装置のランプセット収納部の構造を示すもので、枠体２２を取り外して第１ランプセット２０の収納部分を見た斜視図である。底板２１とその外周部を折り曲げて形成された側板２１ａと樹脂枠１９のひさし１９ａに囲まれたランプセット収納部の端にある開口部２１ｂからバックライト装置に組み込まれた第１ランプセット２０のケーブル２０２の引き出し端が露出し、そのケーブル２０２が底板２１の背面にとりまとめてまわされ、配線されている。
【００３０】
図４は、液晶表示装置の導光板の側端面に取付けられるランプセット２０の斜視図である。液晶表示装置が大型になると、１本の線状ランプの輝度では限界があるため、ランプセットの線状ランプの本数を多くする必要があるが、図４では３本の線状ランプを用いている。冷陰極管である３本の線状ランプ２０３ａ〜２０３ｃは，直径が１．８〜３．０ｍｍで長さが３００〜４６０ｍｍという細長い直管である。線状ランプ両端の端子にケーブル２０２を接続した後、耐熱性のあるシリコンゴム製のランプホルダー２０４ａ、２０４ｂを嵌め込み，ランプ反射板２０５の両端部にそのランプホルダー２０４ａ、２０４ｂを固定して線状ランプ２０３ａ〜２０３ｃをランプ反射板２０５に取付ける。３本の線状ランプのうち中央に配置される線状ランプ２０３ａの長手方向の中央部分には予め絶縁スペーサ（図示せず）が設けられており、この絶縁スペーサに設けられた孔に線状ランプ２０３ａを挿通して取付けてあり、他の２本の線状ランプ２０３ｂ、２０３ｃも第一、第二のランプホルダー２０４ａ、２０４ｂに取付ける際にその絶縁スペーサの孔にはめ込まれ、線状ランプの中央部分でも線状ランプがその適正な間隔を保持してランプ配置の平行度を維持している。
【００３１】
ランプ反射板２０５は、線状ランプと略同じ長さの金属板、例えばアルミニウム板を断面略コ字状に成形し、その内側面に銀蒸着シートなどの反射シートを貼り付けたものであり、線状ランプ２０３ａ〜２０３ｃを取り囲むように固定しており、コ字条の断面の開口部を導光板の側端面に対置して取付けられている。このランプ反射板２０５は、複数の線状ランプに対向する背面２０５ａと、背面を導光板１７に対して支持する側面２０５ｂ，２０５ｃとを有しており、ランプ反射板の背面２０５ａには反射板の長手方向に沿って内側中央に凸となる反射面を有している。すなわち、図５に示すように、ランプ反射板２０５の背面にはその長手方向に沿ってコ字状の反射板の内側に向けて連続した窪みが設けられ、背面に溝２０５ｄが形成されている。この溝２０５ｄには、各線状ランプの一端に取付け第二のランプホルダー２０４ｂを介して引き出した複数のケーブル２０２ａ〜２０２ｃが収納され、前記溝２０５ｄを通って他方の端まで引きまわされ、線状ランプ他端の第一ランプホルダー２０４ａの孔に通して引き出され、線状ランプの他端に接続され他端から引き出したケーブル２０２ｄ〜２０２ｆとまとめて第一ランプホルダー２０４ａの前面から引き出された上で分配され、コネクタ２０６ａ、２０６ｂに接続されている。複数のケーブル２０２ａ〜２０２ｃは、ランプ反射板２０５の背面の溝２０５ｄの中を通すだけでなく、溝に接着剤などで固定してもよい。
【００３２】
図５はランプセット２０がバックライト装置に組み込まれた状態の説明図である。ランプ反射板２０５内側の両端に嵌めこみ固定されるシリコン樹脂製のランプホルダー２０４ａ、２０４ｂ（図４参照）は、線状ランプ２０３ａ〜２０３ｃが取付けられる孔の配置が、中央部の支持孔は導光板１７側に接近し、両側の支持孔は導光板１７から後退した配置になっている。このため、図５に示したように、ランプ反射板２０５に設けた３本の線状ランプ２０３ａ〜２０３ｃのうち中央部の線状ランプ２０３ａが他の線状ランプ２０３ｂ、２０３ｃよりも導光板１７側に接近するように配置されるのに伴って、ランプ反射板の背面２０５ａには溝２０５ｄが形成され、溝の壁が内側に傾斜をもって凸となっていることから、背面の平らな同じ幅のランプ反射板に線状ランプ２０３ａ〜２０３ｃを一直線上に並べた場合に比べて、線状ランプ間の距離が長くなるとともに両側のランプの反射面が広くなっている。また、ランプホルダー２０４ａ、２０４ｂの背面には、ランプ反射板２０５の溝に適合する窪みが設けられている。
【００３３】
このような構造のランプセット２０は、前述したように、導光板１７と樹脂枠１９と底板２１との隙間に底板の開口部２１ｂから挿入されて取付けられているが、収納部の開口部分で第一ランプホルダー２０４ａのケーブルを引き出す頭部と樹脂枠１９との隙間や、引き出されたケーブルと樹脂枠の隙間からバックライトの光が見える光漏れが生じることにより、極めて目触りとなる問題があった。
【００３４】
光漏れは、主として、引き出されたケーブルが接続のため底板の裏面に引き回されるために、樹脂枠１９のひさし１９ａの付け根の１９ｂ部分付近で導光板１７が露出することによって生じる。そこで、本発明においては光漏れを防ぐために、図６、図７のように、ランプホルダー収納部の樹脂枠１９のひさしの付け根の１９ｂ角に薄壁１９ｃを設けるものである。
【００３５】
図６（ａ）は樹脂枠１９の斜視図であり、図６（ｂ）は図６（ａ）のランプセット収納部のひさしの付け根部分（Ａ部分）を拡大したものである。拡大図によって明らかなように、本発明の液晶表示装置では、ランプセット収納部の開口部において樹脂枠のひさし１９ａと樹脂枠本体の角部１９ｂに薄壁１９ｃを設けている。薄壁１９ｃは、樹脂枠のランプセット収納部の両端にそれぞれ設けられており、薄壁１９ｃは樹脂枠のひさし１９ａと樹脂枠本体の角部に略三角形に形成されることにより、ランプホルダー２０４ａから引き出したケーブルの引き回しの邪魔にならない状態となり、樹脂枠１９の強度を高めることもできる。また、この薄壁１９ｃを単なる三角形ではなく、中央部を窪ませたRを有するように形成することがケーブルの配線上好ましい。図７（ａ）は、液晶表示装置の平面図であり、図７（ｂ）はそのＸ−Ｘ断面図である。なお、ランプホルダー２０４ａのケーブルは図示を省略してある。このような、樹脂枠のひさし１９ａと樹脂枠本体の角部１９ｂにかけて薄壁１９ｃを備えた樹脂枠を用いることにより、光漏れを大幅に減少させることができる。しかも、ランプセットの液晶表示装置への挿入あるいは引き出しを妨げることなく、組み込みや交換、修繕等のための取替え作業は効率よく容易に行うことができる。
【００３６】
図８は液晶表示装置を底面方向から見た斜視図である。この図では第１ランプセット２０と第２ランプセット２０’は収納部分に半ば収納した状態である。底板２１の第１及び第２のランプセット２０、２０’の収納部分の開口部付近において、底板２１を切り起こして爪状の第１突起２１ｂが形成されている。第１突起２１ｂは各ランプセットにつき、それぞれ２箇所に設けられている。第１突起２１ｂの切り起こしの孔に樹脂枠１９の枠本体に一体に形成され、後方に伸びた第２突起１９ｄが突出して第１突起と所定の間隔で対向する。
【００３７】
この第１突起２１ｂと第２突起１９ｄの間には、第１ランプセットと第２ランプセットから引き出され、底板２１の背面に引き回し配線されたランプセットのケーブル２０２が挟み込まれて位置決めに用いられる。これによりケーブル２０２の配線固定の状態が一定となるので、ランプセット２０が傾いたりすることがなくなり、導光板１９の角にランプホルダーが密着できる。また、ランプホルダーから引き出したケーブルがばらつくことがないので、ケーブル間に隙間がなく一定の状態で配線することができる。このような構造によって、ケーブル引き出し部からの光漏れを減少させることができる。
【００３８】
以上の実施例のほかランプホルダーの形状は、さまざまに設計変更できる。第１突起と第２突起の数は任意である。またランプセットは、ランプ反射板が断面コ字状の物について説明したが、ランプ反射板はコ字状のものに限らず、断面が半円形あるいは半楕円や放物線状等のものにも本発明は同様に適用できる。
【図面の簡単な説明】
【００３９】
【図１】本発明に係る液晶表示装置の一実施例の構造を示す分解斜視図である。
【図２】図１の液晶表示装置の組み立て斜視図である。
【図３】図２の液晶表示装置のバックライト装置のランプセット収納部分の構造を示す斜視図である。
【図４】バックライト装置に使用されるランプセットの斜視図である。
【図５】バックライト装置に収納されたランプセットの断面図である。
【図６】本発明の樹脂枠の全体（図６（ａ））とそのＡ部拡大図（図６（ｂ））であって開口部の薄壁を示す斜視図である。
【図７】液晶表示装置のランプセットの挿入時の状態を説明する平面図（図７（ａ））及びＸ−Ｘ断面図（図７（ｂ））である。
【図８】本発明に係る液晶表示装置の底面方向から見た斜視図である。
【図９】従来の液晶表示装置におけるバックライト装置の開口部の断面図である。
【符号の説明】
【００４０】
１０  液晶表示装置
１１  液晶表示パネル
１４  第１プリズムシート
１５  第２プリズムシート
１６  拡散シート
１７  導光板
１８  反射シート
１９  樹脂枠
１９ａ  樹脂枠のひさし
１９ｃ  薄壁
１９ｄ  第２突起
２０、２０’  ランプセット
２１  底板
２１ａ  底板の側壁
２１ｂ  第１突起
２２  枠体
２０２  ケーブル
２０３ａ〜２０３ｃ  線状ランプ
２０４ａ、２０４ｂ  ランプホルダー
２０５  ランプ反射板
【図１】
2006038926.tif 000003
【図２】
2006038926.tif 000004
【図３】
2006038926.tif 000005
【図４】
2006038926.tif 000006
【図５】
2006038926.tif 000007
【図６】
2006038926.tif 000008
【図７】
2006038926.tif 000009
【図８】
2006038926.tif 000010
【図９】
2006038926.tif 000011